(57)【要約】【課題】基板ケースに対して閉鎖封止手段と装着封止手段とを効率よく配置して遊技機本体の限られたスペースを有効に活用することが可能な遊技機を提供する。【解決手段】第１ケース体４１と第２ケース体４２とで開閉自在に構成された基板ケース４３と、基板ケース４３を装着可能な基板ケース取付台４５と、基板ケース４３を閉鎖状態で封止可能な閉鎖封止手段４７と、基板ケース４３と基板ケース取付台４５とを装着状態で封止可能な装着封止手段４９とを備え、閉鎖封止手段４７は、第１ケース体４１側の被結合部１０１ａと第２ケース体４２側の封止部材１０２ａとを備え、装着封止手段４９は、基板ケース取付台４５側の被結合部１０１ｂと基板ケース４３側の封止部材１０２ｂとを備え、基板ケース４３側の凹部７１ａに被結合部１０１ｂを嵌合させ、閉鎖封止手段４７と装着封止手段４９とを基板ケース４３の一辺に沿って一列状に配置したものである。【選択図】図３
2009247837.tif 000002
【特許請求の範囲】
【請求項１】
第１ケース体（４１）と第２ケース体（４２）とで開閉自在に構成され且つ内部に基板（１３）を格納可能な基板ケース（４３）と、遊技機筐体（１）に設けられ且つ前記基板ケース（４３）を装着可能な基板ケース取付台（４５）と、前記第１ケース体（４１）と前記第２ケース体（４２）とを閉鎖状態で封止可能な一又は複数の閉鎖封止手段（４７）と、前記基板ケース（４３）と前記基板ケース取付台（４５）とを装着状態で封止可能な一又は複数の装着封止手段（４９）とを備えた遊技機において、前記閉鎖封止手段（４７）は、前記第１ケース体（４１）側の閉鎖封止側被結合部（１０１ａ）と、前記第２ケース体（４２）側に設けられ且つ前記閉鎖封止側被結合部（１０１ａ）に離脱不能に結合することにより前記第１ケース体（４１）に対する前記第２ケース体（４２）の離脱を阻止する閉鎖封止側封止部材（１０２ａ）とを備え、前記装着封止手段（４９）は、前記基板ケース取付台（４５）側の装着封止側被結合部（１０１ｂ）と、前記基板ケース（４３）側に設けられ且つ前記装着封止側被結合部（１０１ｂ）に離脱不能に結合することにより前記基板ケース取付台（４５）に対する前記基板ケース（４３）の離脱を阻止する装着封止側封止部材（１０２ｂ）とを備え、前記基板ケース（４３）側に設けた凹部（７１ａ）に前記装着封止側被結合部（１０１ｂ）を嵌合させ、前記閉鎖封止手段（４７）と前記装着封止手段（４９）とを前記基板ケース（４３）の一辺に沿って一列状に配置したことを特徴とする遊技機。
【請求項２】
前記閉鎖封止手段（４７）及び前記装着封止手段（４９）は、損壊部（１３２，１３３）を介して前記第２ケース体（４２）側に一体に形成され且つ前記損壊部（１３２，１３３）を損壊することにより前記第２ケース体（４２）から除去可能な開封障害部（１０３ａ，１０３ｂ）を夫々備え、前記閉鎖封止手段（４７）は、前記閉鎖封止側封止部材（１０２ａ）が前記第２ケース体（４２）側から離れて前記閉鎖封止側被結合部（１０１ａ）に結合したとき、その閉鎖封止側封止部材（１０２ａ）が前記第１ケース体（４１）に対する前記開封障害部（１０３ａ）の開方向への相対移動を規制することにより前記基板ケース（４３）の開封を阻止し、前記装着封止手段（４９）は、前記装着封止側封止部材（１０２ｂ）が前記第２ケース体（４２）側から離れて前記装着封止側被結合部（１０１ｂ）に結合したとき、その装着封止側封止部材（１０２ｂ）が前記基板ケース取付台（４５）に対する前記開封障害部（１０３ｂ）の開方向への相対移動を規制することにより前記基板ケース（４３）の離脱を阻止するように構成されていることを特徴とする請求項１に記載の遊技機。
【請求項３】
前記閉鎖封止側封止部材（１０２ａ）と前記装着封止側封止部材（１０２ｂ）とそれらを連結する連結部材（１１２）とを合成樹脂により一体形成した封止部材連結体（１１３）を、前記第２ケース体（４２）の内側に着脱自在に装着したことを特徴とする請求項１又は２に記載の遊技機。
【請求項４】
前記閉鎖封止側封止部材（１０２ａ）及び前記装着封止側封止部材（１０２ｂ）と前記連結部材（１１２）とは損壊容易な連結部（１２４）により連結されており、前記封止部材連結体（１１３）が前記第２ケース体（４２）に装着された状態では前記閉鎖封止側封止部材（１０２ａ）及び前記装着封止側封止部材（１０２ｂ）はその被操作部（１１７）のみが前記第２ケース体（４２）側の操作孔（６８）から外側に露出した状態となり、前記被操作部（１１７）が内向きに押圧されたとき、前記連結部（１２４）が損壊して前記閉鎖封止側封止部材（１０２ａ）又は前記装着封止側封止部材（１０２ｂ）が前記封止部材連結体（１１３）から切り離されて前記閉鎖封止側被結合部（１０１ａ）又は装着封止側被結合部（１０１ｂ）に結合するように構成されていることを特徴とする請求項３に記載の遊技機。
【請求項５】
前記閉鎖封止手段（４７）の数を装着封止手段（４９）よりも少なくしたことを特徴とする請求項１〜４の何れかに記載の遊技機。
【発明の詳細な説明】
【技術分野】
【０００１】
本発明は、パチンコ機、スロットマシン等の遊技機に係り、詳しくは、閉状態で封止可能な基板ケースを遊技機本体側にも封止可能とした遊技機に関するものである。
【背景技術】
【０００２】
パチンコ機、スロットマシン等の遊技機では、各種制御基板等が基板ケースに格納された状態で本体裏側等に装着されている。一般的な基板ケースは、第１ケース体と第２ケース体とを開閉可能に組み合わせることにより略箱形となるように構成され、遊技機本体側に設けられた基板ケース取付台に対して着脱自在に装着されている。
【０００３】
また、遊技機の基板ケースには、制御基板に対する不正防止のための封止手段を備えたものがある。この封止手段には、基板ケースを構成する第１ケース体と第２ケース体とを閉鎖状態で現状復帰不能に封止する閉鎖封止手段と、その基板ケースと基板ケース取付台とを装着状態で現状復帰不能に封止する装着封止手段とがあり、例えば特許文献１に記載された基板ケースはそれら二種類の封止手段を共に備えている。
【特許文献１】特開２０００−３３４１４２号公報
【発明の開示】
【発明が解決しようとする課題】
【０００４】
上記特許文献１に記載された発明では、閉鎖封止手段と装着封止手段とを基板ケースの異なる辺に沿って別々に配置し、しかも装着封止手段は基板ケースの外側に突出するように配置されているため、基板ケース内における閉鎖封止手段の周辺にはデッドスペースが存在するにも拘わらず、遊技機本体側には基板ケースから突出した装着封止手段のためのスペースを設けなければならず、遊技機本体内の限られたスペースを有効に活用できていないという問題があった。
【０００５】
本発明は、上記事情に鑑みてなされたものであり、その目的とするところは、基板ケースに対して閉鎖封止手段と装着封止手段とを効率よく配置して遊技機本体の限られたスペースを有効に活用することが可能な遊技機を提供することにある。
【課題を解決するための手段】
【０００６】
本発明は、第１ケース体４１と第２ケース体４２とで開閉自在に構成され且つ内部に基板１３を格納可能な基板ケース４３と、遊技機筐体１に設けられ且つ前記基板ケース４３を装着可能な基板ケース取付台４５と、前記第１ケース体４１と前記第２ケース体４２とを閉鎖状態で封止可能な一又は複数の閉鎖封止手段４７と、前記基板ケース４３と前記基板ケース取付台４５とを装着状態で封止可能な一又は複数の装着封止手段４９とを備えた遊技機において、前記閉鎖封止手段４７は、前記第１ケース体４１側の閉鎖封止側被結合部１０１ａと、前記第２ケース体４２側に設けられ且つ前記閉鎖封止側被結合部１０１ａに離脱不能に結合することにより前記第１ケース体４１に対する前記第２ケース体４２の離脱を阻止する閉鎖封止側封止部材１０２ａとを備え、前記装着封止手段４９は、前記基板ケース取付台４５側の装着封止側被結合部１０１ｂと、前記基板ケース４３側に設けられ且つ前記装着封止側被結合部１０１ｂに離脱不能に結合することにより前記基板ケース取付台４５に対する前記基板ケース４３の離脱を阻止する装着封止側封止部材１０２ｂとを備え、前記基板ケース４３側に設けた凹部７１ａに前記装着封止側被結合部１０１ｂを嵌合させ、前記閉鎖封止手段４７と前記装着封止手段４９とを前記基板ケース４３の一辺に沿って一列状に配置したものである。
【発明の効果】
【０００７】
本発明によれば、基板ケース４３に対して閉鎖封止手段４７と装着封止手段４９とを効率よく配置して基板ケース４３の内外のデッドスペースを少なくすることができ、遊技機筐体１内の限られたスペースを有効に活用することが可能となる。
【発明を実施するための最良の形態】
【０００８】
以下、本発明の実施形態を図面に基づいて詳述する。図１〜図２８は本発明をスロットマシンに採用した一実施形態を例示している。なお、以下の説明における上下左右の方向については、特に基準を示さない限り遊技機本体を前側から見た場合の上下左右をいうものとする。
【０００９】
図１及び図２において、１は遊技機本体を構成する筐体であり、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより、前側が開放する箱形に形成されており、その前側を開閉自在に閉鎖するように前面パネル３が装着されている。
【００１０】
本体ケース２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が搭載された主制御基板ユニット１４等が配置されている。表示リールユニット９は、左右の側板４ａ，４ｂ間に架設された中間棚１５上に着脱自在に装着されている。
【００１１】
メダル払い出し装置１０は、払い出し用のメダルを貯留するメダルホッパー１６、メダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。メダル補助ケース１１は側板４ｂに近接して底板６上に装着され、電源基板ケース１２はメダル補助ケース１１と反対側で側板４ａの下部側に装着されている。また、主制御基板ユニット１４は、本体ケース２内の縦壁面、例えば背板７の前面側で且つ表示リールユニット９の上側近傍に固定されている。
【００１２】
前面パネル３は左右一端側、例えば左側に配置されたヒンジ手段（図示省略）を介して本体ケース２に対して開閉自在に装着されており、その上部側には第１表示窓２１と第２表示窓２２とが上下に配置されている。第１表示窓２１は、前面パネル３の裏側に装着された液晶表示ユニット（図示省略）の表示画面２３に対応して矩形状に形成されており、遊技者はこの第１表示窓２１を介して表示画面２３を前側から視認可能となっている。第２表示窓２２は、本体ケース２側の図柄表示リール８ａ〜８ｃに対応して、第１表示窓２１よりも大型の矩形状に形成されており、遊技者はこの第２表示窓２２を介して図柄表示リール８ａ〜８ｃを前側から視認可能となっている。
【００１３】
また第２表示窓２２の下側には、横長状の操作パネル部２４が設けられている。この操作パネル部２４の上面側には、遊技媒体としてのメダルを投入可能なメダル投入口２５の他、１ベットボタン２６、マックスベットボタン２７及びキャンセルボタン２８が設けられている。操作パネル部２４の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２５内に詰まったメダルを返却させるための返却ボタン３３等が設けられている。
【００１４】
前面パネル３の下端部前側には、メダル払い出し手段１７から払い出されたメダルや返却されたメダルを前側に排出するための排出口３４が設けられ、その前側に、排出口３４から排出されたメダルを受けるメダル受け皿３５が横長状に配置されている。
【００１５】
主制御基板ユニット１４は、主制御基板１３を保護しつつ本体ケース２内に装着するためのもので、主制御基板１３と、第１ケース体４１と第２ケース体４２とで開閉自在に構成され且つ内部に主制御基板１３が格納される主基板ケース４３と、この主基板ケース４３に装着され且つ主制御基板１３の所定のコネクタをカバーするコネクタカバー４４と、本体ケース２に固定され且つ主基板ケース４３を保持する主基板ケース取付台４５と、第１ケース体４１と第２ケース体４２とを閉状態でロックする閉鎖ロック手段４６と、第１ケース体４１と第２ケース体４２とを閉状態で封止する閉鎖封止手段４７と、主基板ケース４３と主基板ケース取付台４５とを装着状態でロックする装着ロック手段４８と、主基板ケース４３と主基板ケース取付台４５とを装着状態で封止する装着封止手段４９とを備えている。
【００１６】
主制御基板１３は、スタートレバー３１、ストップボタン３２ａ〜３２ｃ等の操作に応じて図柄表示リール８ａ〜８ｃの回転、停止その他の遊技動作を制御するためのもので、図３等に示すように例えば横長矩形状に形成され、その一面側の中央側にＲＯＭ３６等の電子部品が、外縁側に複数個のコネクタ３７が夫々装着されている。
【００１７】
主基板ケース４３を構成する第２ケース体４２は、図３，図４、図７等に示すように、主制御基板１３の電子部品装着面１３ａ側に対向する上壁５１と、その上壁５１の三辺、例えば上下辺及び右辺に沿って主制御基板１３側に延設された周壁５２〜５４とを一体に備え、主制御基板１３の裏面１３ｂ側に対応する面、及び外周側の残りの一方側、即ち左側の面はその略全面が開放されて開口５５，５６を形成している。
【００１８】
そして、上壁５１の内面側には、例えば左側の開口５６から所定距離内側（右周壁５４側）の位置に仕切り壁５７（図４，図１１）が右周壁５４と略平行に配置されている。この仕切り壁５７は、主基板ケース４３内の空間を基板格納領域４３ａと封止領域４３ｂとに仕切るもので、周壁５２〜５４と仕切り壁５７とで取り囲まれた領域が基板格納領域４３ａ、仕切り壁５７よりも開口５６側の領域が封止領域４３ｂとなっている。
【００１９】
上壁５１のうち、仕切り壁５７よりも右側の基板格納領域４３ａに対応する基板側上壁５１ａには、その内部に配置される主制御基板１３との間に電子部品の収容空間を確保できるように外向きに膨出する膨出部６１が形成されると共に、その膨出部６１の周辺部には、例えば仕切り壁５７、右周壁５４及び下周壁５３に沿って膨出部６１よりも低い凹部６２ａ〜６２ｃが形成されている。
【００２０】
凹部６２ａ〜６２ｃには、主制御基板１３側のコネクタ３７が内側から嵌合するコネクタ嵌合孔６３が夫々１又は複数設けられており、主制御基板１３は、コネクタ３７をそれらコネクタ嵌合孔６３に内側から嵌合させつつ第２ケース体４２の基板格納領域４３ａ内に嵌め込まれ、電子部品装着面１３ａを凹部６２ａ〜６２ｃの内面側に当接させた状態で第２ケース体４２にねじ止め等により着脱自在に固定されている。
【００２１】
また、膨出部６１には、主制御基板１３側のＲＯＭ３６に対応する位置に、ＲＯＭ３６側に凹入する凹部６４が形成されると共に、その凹部６４の側壁と膨出部６１の側壁とを連結する複数の連結リブ６５が膨出部６１の内面側に沿って配置されている。
【００２２】
上壁５１のうち、仕切り壁５７よりも左側の封止領域４３ｂに対応する封止側上壁５１ｂには、仕切り壁５７に沿って開封用開口部６６が、開口５６側縁部に沿って一又は複数、の係止孔６７が、開封用開口部６６と係止孔６７との間に開封用開口部６６に沿って複数の操作孔６８が夫々貫通状に形成され、また開口５６及び上下の周壁５２，５３に沿う外縁部には外向きに突出する外周枠６９が一体に設けられている。
【００２３】
また、上下の周壁５２，５３には、係合爪７０とロックカバー６０とが外向きに突設されている。係合爪７０は、開口５５側の縁部に沿って間欠的に複数、例えば上下各４個配置され、ロックカバー６０は開口５５側縁部から所定距離の位置に複数、例えば上下各２個配置されている。
【００２４】
第１ケース体４１は、図３，図５，図７等に示すように、第２ケース体４２側の開口５５に対応する底壁７１と、第２ケース体４２側の開口５６に対応して底壁７１の一辺、即ち左辺に沿って第２ケース体４２側に立設される側壁７２と、底壁７１の他の三辺、即ち上辺，下辺及び右辺に沿って第２ケース体４２側に立設される嵌合壁７３ａ，７３ｂ，７３ｃとを一体に備えている。
【００２５】
底壁７１には、左辺の下部側の所定範囲に対応して内向きに略矩形状の凹部７１ａが形成されており、側壁７２はその凹部７１ａに対応する部分が欠損し、上部側壁７２ａと下部側壁７２ｂとに分断されている。そして、この第１ケース体４１を第２ケース体４２に組み合わせたとき、底壁７１，側壁７２が、凹部７１ａに対応する部分を除いて第２ケース体４２側の開口５５，５６を夫々略閉鎖すると共に、嵌合壁７３ａ〜７３ｃが夫々第２ケース体４２側の周壁５２〜５４の外側に嵌合するようになっている。なお、底壁７１には、凹部７１ａの内縁部のうち、上下の嵌合壁７３ａ，７３ｂに平行な一対の側縁部に沿って側縁板７４ａ，７４ｂが、右嵌合壁７３ｃに平行な内縁部に沿って内縁板７５が、夫々内向きに立設されている。
【００２６】
また、底壁７１には、主制御基板１３の裏面１３ｂに略当接する一対の案内壁７６，７７が嵌合壁７３ａ，７３ｂの内側に平行に配置されており、これら案内壁７６，７７と嵌合壁７３ａ，７３ｂとの間は、第２ケース体４２側の周壁５２，５３が摺動自在に嵌合する案内溝７８，７９となっている。なお、案内壁７６，７７には、嵌合壁７３ａ，７３ｂ側に向けて夫々複数の突起部７６ａ，７７ａが一体に設けられており、これら突起部７６ａ，７７ａの先端が第２ケース体４２側の周壁５２，５３の内面側に摺接するようになっている。
【００２７】
また、上下の嵌合壁７３ａ，７３ｂには、第２ケース体４２側の係合爪７０に対応する係合受け部８１が設けられている。この係合受け部８１は、図７に示すように、係合爪７０が嵌脱自在に嵌合する切り欠き部８１ａと、案内溝７８，７９に沿ってこれら切り欠き部８１ａに対して例えば封止領域４３ｂとは反対側（右側）に隣接して設けられ且つ係合爪７０が夫々係合する係止部８１ｂとを備えている。また、側壁７２の縁部には、第２ケース体４２側の係止孔６７に係脱自在に係合する断面略Ｌ字型の係合爪８２が突設されている。なお、案内壁７６，７７側の突起部７６ａ，７７ａは、例えば嵌合壁７３ａ，７３ｂ側の切り欠き部８１ａに対応する位置に配置されている。
【００２８】
主基板ケース４３を閉じる際には、第２ケース体４２側の係合爪７０を第１ケース体４１側の切り欠き部８１ａに、第１ケース体４１側の係合爪８２を第２ケース体４２側の係止孔６７に夫々嵌合させるように第２ケース体４２と第１ケース体４１とを互いに嵌め合わせ（アンロック状態）、第２ケース体４２を第１ケース体４１に対して封止領域４３ｂとは反対側（右側）に向けて相対的にスライドさせることにより（以下、この方向をスライド方向という）、係合爪７０が係止部８１ｂに、係合爪８２が係止孔６７の縁部に夫々係合して、第１ケース体４１と第２ケース体４２とが互いに結合状態でロックされる（ロック状態）。また、第１ケース体４１と第２ケース体４２とをロック状態から逆方向にスライドさせてアンロック状態にすれば、主基板ケース４３を開くことができる。
【００２９】
なお、第２ケース体４２側の係合爪７０と第１ケース体４１側の係合受け部８１、第１ケース体４１側の係合爪８３と第２ケース体４２側の係止孔６７が、第１ケース体４１と第２ケース体４２とを閉状態でロックする閉鎖ロック手段４６を構成している。
【００３０】
また、上下の嵌合壁７３ａ，７３ｂには、係合受け部８１とは異なる位置に夫々複数の係合突起８４が外向き突出状に一体形成されている。この係合突起８４は、その先端側がスライド方向に向けて略直角に屈曲している。
【００３１】
コネクタカバー４４は、主制御基板１３に設けられた複数のコネクタ３７のうち、例えば下側の凹部６２ｃ内に配置されるコネクタ３７ａ，３７ｂを覆うもので、図９等に示すように、凹部６２ｃに対応する蓋状に形成された本体部８５と、この本体部８５の一端側に一体に設けられたヒンジピン８６と、本体部８５の他端側近傍に設けられたカバー側結束部８７とを備えている。凹部６２ｃは、第２ケース体４２の下縁部に沿って右縁部側から左縁部側に向けて所定範囲に設けられ、その右端側は凹部６２ｂの下端側に連結しており、その底壁に設けられたコネクタ嵌合孔６３ａ，６３ｂ（図４）にコネクタ３７ａ，３７ｂが嵌合している。
【００３２】
本体部８５は、コネクタ３７ａ，３７ｂとこれに結合されたハーネス側コネクタ８８ａ，８８ｂとを覆うように凹部６２ｃに装着されるようになっている。この本体部８５には、凹部６２ｃ側のケース側結束部８９が嵌合可能な嵌合孔９０が、カバー側結束部８７に隣接して設けられており、コネクタカバー４４を主基板ケース４３に装着したとき、凹部６２ｃ側のケース側結束部８９が嵌合孔９０を貫通してコネクタカバー４４側のカバー側結束部８７と重なるように構成されている。なお、カバー側結束部８７とケース側結束部８９とは例えば共に門型状に形成されている。また、本体部８５には、凹部６２ｃの底壁に対向する縁部に沿って切欠状のハーネス引出部８５ａが、例えば各コネクタ３７ａ，３７ｂに対応して設けられている。
【００３３】
ヒンジピン８６は、主基板ケース４３の例えば右縁部に沿って上下方向に配置されており、第１ケース体４１側の右嵌合壁７３ｃに一体に設けられた軸保持部９１により着脱自在且つ回転自在に保持されるようになっている。なお、軸保持部９１は、例えば右嵌合壁７３ｃの縁部から外向きに延設された半円筒状で、ヒンジピン８６を内側から抱き込むように保持するようになっている。
【００３４】
コネクタカバー４４を主基板ケース４３に装着する際には、コネクタカバー４４のヒンジピン８６を第１ケース体４１側の軸保持部９１に係合させ（図９に二点鎖線で示す）、そのヒンジピン８６廻りに回転させることにより、本体部８５をコネクタ３７ａ，３７ｂ及びこれに結合されたハーネス側コネクタ８８ａ，８８ｂに覆い被せる。そしてその状態で、カバー側結束部８７とケース側結束部８９とを結束バンド（図示省略）等により抜脱不能に結束する。
【００３５】
これにより、結束バンド９２を切断してコネクタカバー４４を取り外さない限り、ハーネス側コネクタ８８ａ，８８ｂをコネクタ３７ａ，３７ｂから抜き取ることができなくなり、コネクタ３７ａ，３７ｂへの不正部品の接続による不正行為を効果的に防止できる。また、コネクタカバー４４は第１ケース体４１と第２ケース体４２とに跨って装着されているため、このコネクタカバー４４を取り外さない限り主基板ケース４３を開くことはできない。
【００３６】
主基板ケース取付台４５は、図３，図６，図８等に示すように、第１ケース体４１側の底壁７１に対応する略矩形状のベース板９３と、このベース板９３の外周に沿って後ろ向き突出状に設けられ且つ主基板ケース４３を外周から囲繞する上下左右の囲繞壁９４〜９７とを一体に備えており、ベース板９３に設けられた複数の固定孔９３ａにおいて本体ケース２の背板７の内面側にねじ止め固定されている。なお、主基板ケース取付台４５に主基板ケース４３を装着した状態ではその主基板ケース４３によって固定孔９３ａ及び固定ねじ（図示省略）が覆われてしまうため、本体ケース２から主基板ケース取付台４５ごと主基板ケース４３を取り外すことはできない。
【００３７】
左側の囲繞壁９６は、第１ケース体４１側の側壁７２ａ，７２ｂに対応する部分が切り欠かれており、この囲繞壁９６と第１ケース体４１側の側壁７２とで第２ケース体４２側の開口５６の略全体が閉鎖されるようになっている。
【００３８】
また、上下の囲繞壁９４，９５には、第１ケース体４１側の係合突起８４が嵌脱自在に嵌合する複数の係合受け部９８が設けられている。この係合受け部９８は、図６等に示すように、係合突起８４が嵌脱自在に嵌合する切り欠き部９８ａと、この切り欠き部９８ａに隣接して設けられ且つ係合突起８４が係合可能な係止部９８ｂと、これら切り欠き部９８ａと係止部９８ｂとを外側から覆うカバー部９８ｃとを備えている。
【００３９】
主基板ケース４３を主基板ケース取付台４５に装着する際には、主基板ケース４３側の係合突起８４を主基板ケース取付台４５側の切り欠き部９８ａに嵌合させるように主基板ケース４３を主基板ケース取付台４５の内側に嵌め込み（アンロック状態）、主基板ケース４３を主基板ケース取付台４５に対して主基板ケース４３を閉じる際と同じ方向にスライドさせることにより、係合突起８４が係止部９８ｂに係合して、主基板ケース４３が主基板ケース取付台４５に対して装着状態でロックされる（ロック状態）。このとき、係合受け部９８の切り欠き部９８ａは第２ケース体４２側のロックカバー６０によって塞がれる。また、主基板ケース取付台４５に対してロック状態にある主基板ケース４３をロック時とは逆方向にスライドさせてアンロック状態にすれば、主基板ケース取付台４５から取り外すことができる。
【００４０】
なお、第１ケース体４１側の係合突起８４と主基板ケース取付台４５側の係合受け部９８とが、主基板ケース４３と主基板ケース取付台４５とを装着状態でロックする装着ロック手段４８を構成している。
【００４１】
閉鎖封止手段４７及び装着封止手段４９は、図１４等に示すように、主基板ケース４３の封止領域４３ｂに対応して、主基板ケース４３の一辺、即ち第２ケース体４２側の開口５６及び第１ケース体４１側の側壁７２に沿って例えば一列状に夫々一又は複数（ここでは閉鎖封止手段４７が２個、装着封止手段４９が４個）配置されている。
【００４２】
閉鎖封止手段４７は、図３等に示すように、第１ケース体４１側の被結合部（閉鎖封止側被結合部）１０１ａと、第２ケース体４２側の封止部材（閉鎖封止側封止部材）１０２ａ及び開封障害部１０３ａとで構成されている。また、装着封止手段４９は、図３等に示すように、主基板ケース取付台４５側の被結合部（装着封止側被結合部）１０１ｂと、第２ケース体４２側の封止部材（装着封止側封止部材）１０２ｂ及び開封障害部１０３ｂとで構成されている。
【００４３】
図１２，図１３等に示すように、閉鎖封止手段４７側の被結合部１０１ａは、第１ケース体４１側の側壁７２ａの内面側に突設された嵌合支持部１０４ａ上に設けられており、装着封止手段４９側の被係合部１０１ｂは、主基板ケース取付台４５側の左囲繞壁９６の内面側に突設された嵌合支持部１０４ｂ上に設けられている。
【００４４】
閉鎖封止手段４７，装着封止手段４９の嵌合支持部１０４ａ，１０４ｂは、夫々第１ケース体４１側の底壁７１、主基板ケース取付台４５側のベース板９３に平行な板状で、底壁７１，ベース板９３との間に所定距離をおいて側壁７２ａ，左囲繞壁９６の内側、即ち封止領域４３ｂ側に配置され、例えば底壁７１，ベース板９３から垂直に立設された支持壁１０５ａ，１０５ｂにより第１ケース体４１，主基板ケース取付台４５に一体に支持されており、側壁７２ａ，左囲繞壁９６に沿って、嵌合支持部１０４ａ側には２つの被結合部１０１ａが、嵌合支持部１０４ｂ側には４つの被係合部１０１ｂが夫々設けられている。
【００４５】
なお、主基板ケース４３を主基板ケース取付台４５に装着したとき、図１２，図１３に示すように、主基板ケース取付台４５側の嵌合支持部１０４ｂは第１ケース体４１側の凹部７１ａに嵌合して第１ケース体４１側の嵌合支持部１０４ａと同じ平面上で隣接し、嵌合支持部１０４ａ側の２つの被結合部１０１ａと嵌合支持部１０４ｂ側の４つの被係合部１０１ｂとが一列状に整列するようになっている。
【００４６】
各被結合部１０１ａ，１０１ｂは、図１３，図１７等に示すように、例えばスライド方向に平行に設けられた１つの挿通スリット１０６と、この挿通スリット１０６の両側に平行に配置された一対の逃げ用スリット１０７と、それら挿通スリット１０６と逃げ用スリット１０７との間に形成された一対の弾性係合部１０８とを備えている。挿通スリット１０６には、封止部材１０２ａ，１０２ｂ側の結合部１１６に対応してその略中央に拡幅部１０９が形成されている。
【００４７】
また、嵌合支持部１０４ａ，１０４ｂの第２ケース体４２側の面（以下、表面という）には、各被結合部１０１ａ，１０１ｂに対してその配列方向の両側、即ち逃げ用スリット１０７の外側に互いに平行な一対の案内板１１０，１１０が第２ケース体４２の封止側上壁５１ｂ側に向けて立設されている。また、案内板１１０，１１０の対向面側には、封止部材１０２ａ，１０２ｂにおける側壁７２ａ，左囲繞壁９６側の面に沿って規制部１１１が突設されている。
【００４８】
封止部材１０２ａ，１０２ｂは、図１０，図１１等に示すようにそれら全てが連結部材１１２により連結された状態で封止部材連結体１１３として合成樹脂により一体形成されており、この封止部材連結体１１３が第２ケース体４２に着脱自在に装着されている。封止部材１０２ａ，１０２ｂは、断面矩形状の軸部１１４と、この軸部１１４の一端側に設けられた鍔部１１５と、軸部１１４の他端側に設けられた台形状の結合部１１６と、鍔部１１５から上側に突出する被操作部１１７とを備えている。
【００４９】
鍔部１１５は、例えば略矩形状で、スライド方向に対する左右両縁側が被結合部１０１ａ，１０１ｂ側の案内板１１０，１１０の対向面側に略接し、スライド方向一端側の縁部が被結合部１０１ａ，１０１ｂ側の規制部１１１に略接するように形成されている。なお鍔部１１５には、その外周に沿って軸部１１４とは反対側に向けて周壁１１８が突設されている。軸部１１４は、鍔部１１５の中心部から被結合部１０１ａ，１０１ｂ側に向けて突設され、例えばスライド方向に対する左右方向に偏平な断面矩形状に形成されており、その幅は被結合部１０１ａ，１０１ｂ側の拡幅部１０９の内幅と略同じか若干小さく形成されている。なお、鍔部１１５には、軸部１１４と共に被結合部１０１ａ，１０１ｂ側の挿通スリット１０６に嵌合する嵌合リブ１１９が、例えば軸部１１４の一方の側面に沿って突設されている。
【００５０】
結合部１１６は、軸部１１４の先端側に設けられ、軸部１１４からスライド方向に対する左右方向に張り出す断面台形状に形成されており、その張り出し幅は被結合部１０１ａ，１０１ｂ側の拡幅部１０９の幅よりも大きくなっている。被操作部１１７は、封止部材１０２ａ，１０２ｂを被結合部１０１ａ，１０１ｂ側に押し込む際に押圧される部分で、例えば断面略矩形状で鍔部１１５の中心部から外向きに突出しており、その端部側には凹部１２０が形成されている。
【００５１】
以上のように構成された封止部材１０２ａ，１０２ｂは、夫々被結合部１０１ａ，１０１ｂに対応する間隔で一列状に整列された状態で、連結部材１１２により一体に連結されている。連結部材１１２は、封止部材１０２ａ，１０２ｂに対してその整列方向両端側及び各封止部材１０２ａ，１０２ｂ間に配置されるスライド方向の支持枠１２１と、この支持枠１２１の少なくとも一端側、例えば開口５６側端部を互いに連結する連結枠１２２と、両端側の支持枠１２１，１２１から封止部材１０２ａ，１０２ｂの整列方向外向きに突設された固定部１２３とを一体に備え、支持枠１２１と封止部材１０２ａ，１０２ｂ側の鍔部１１５との間が損壊容易な連結部１２４により複数箇所で一体に連結されている。
【００５２】
各支持枠１２１には、封止部材１０２ａ，１０２ｂの軸部１１４と同じ側に突出するリブ１２５が、各支持枠１２１の長手方向、即ちスライド方向に沿って配置されている。また、連結枠１２２は、それらリブ１２５と略同じ幅に形成されると共に、更に封止部材１０２ａ，１０２ｂの軸部１１４と同じ側に突出する突出部１２６が各封止部材１０２ａ，１０２ｂに対応して間欠的に複数設けられている。
【００５３】
連結部材１１２には、例えば支持枠１２１上の複数箇所に、第２ケース体４２側の封止側上壁５１ｂの内面側に設けられた位置決め突起１２７（図１１）に対応する位置決め穴１２８（図１０）が設けられている。また、固定部１２３は連結枠１２２と平行な板状で、その少なくとも一面側に固定爪１２９が突設されている。
【００５４】
この封止部材連結体１１３は、第２ケース体４２側の封止部材保持部１３０により着脱自在に保持されている。封止部材保持部１３０は、上下の周壁５２，５３の内側近傍で封止側上壁５１ｂの内面側に突設された各一対の挟持板１３０ａ，１３０ａと、封止部材連結体１１３側の固定爪１２９に対応して挟持板１３０ａに設けられた固定孔１３０ｂとで構成されている。封止部材連結体１１３は、封止側上壁５１ｂ側の位置決め突起１２７を位置決め穴１２８に嵌合させた状態で固定部１２３が夫々一対の挟持板１３０ａ，１３０ａ間に差し込まれ、固定部１２３の固定爪１２９が挟持板１３０ａの固定孔１３０ｂに係合することにより第２ケース体４２側に着脱自在に保持されている。
【００５５】
封止部材連結体１１３が第２ケース体４２側に装着された状態（図１２，図１３等）では、各封止部材１０２ａ，１０２ｂの被操作部１１７が封止側上壁５１ｂ上の操作孔６８に夫々内側から隙間無く嵌合し、図１５〜図１７に示すように、鍔部１１５の周壁１１８の縁部が封止側上壁５１ｂの内面側に略当接した状態となる。なお、操作孔６８は、嵌合支持部１０４ａ，１０４ｂ側の被結合部１０１ａ，１０１ｂに夫々対応するように封止側上壁５１ｂ上に一列状に設けられている。
【００５６】
また、第１ケース体４１と第２ケース体４２、及びそれらと主基板ケース取付台４５を互いに嵌め合わせて夫々ロック状態としたときには、図１７等に示すように嵌合支持部１０４ａ，１０４ｂ側の案内板１１０，１１０が各封止部材１０２ａ，１０２ｂの鍔部１１５の両側面に略接すると共にその縁部が連結部１２４に下側から略当接し、また図１５，図１６に示すように連結枠１２２の突出部１２６が案内板１１０，１１０間に嵌合してその先端側が嵌合支持部１０４ａ，１０４ｂに略当接するようになっている。
【００５７】
そして、第１ケース体４１と第２ケース体４２、又はそれらと主基板ケース取付台４５をロック状態で封止する際に、操作孔６８の外側から封止部材１０２ａ，１０２ｂの被操作部１１７が内向きに押圧されると、連結部１２４が損壊して封止部材１０２ａ，１０２ｂは第２ケース体４２から切り離され、被結合部１０１ａ，１０１ｂに離脱不能に結合する。
【００５８】
開封障害部１０３ａ，１０３ｂは、図１０〜図１８に示すように、第２ケース体４２側の開封用開口部６６内に各封止部材１０２ａ，１０２ｂに対応して設けられている。即ち、開封用開口部６６は、区分壁１３１により、封止部材１０２ａに対応する１又は複数、例えば２つの開封用開口部６６ａと、封止部材１０２ｂに対応する１又は複数、例えば４つの開封用開口部６６ｂとに区分されており、各開封用開口部６６ａ，６６ｂ内に夫々開封障害部１０３ａ，１０３ｂが配置され、損壊容易な第１，第２損壊部１３２，１３３を介して第２ケース体４２に一体成形されている。
【００５９】
開封障害部１０３ａ，１０３ｂは、開封用開口部６６ａ，６６ｂ内の例えば封止部材１０２ａ，１０２ｂ側に仕切り壁５７と略平行に配置される支持板１３４と、その支持板１３４の嵌合支持部１０４ａ，１０４ｂ側端部から封止部材１０２ａ，１０２ｂ側に延設された横当接板１３５と、支持板１３４から横当接板１３５に沿って封止部材１０２ａ，１０２ｂ側に突設された縦当接板１３６とを備えている。当接板１３５，１３６は、図１５に示すように封止部材１０２ａ，１０２ｂが第２ケース体４２側から切り離されて被結合部１０１ａ，１０１ｂに結合したとき、その封止部材１０２ａ，１０２ｂのスライド方向端面に当接又は近接するようになっている。
【００６０】
第１損壊部１３２は、支持板１３４の外側端部における両端側と開封用開口部６６ａ，６６ｂの縁部との間を夫々連結するように設けられ、主基板ケース４３の外側からニッパー等により容易に損壊可能となっている。また、第２損壊部１３３は、支持板１３４と仕切り壁５７との間を、開封用開口部６６ａ，６６ｂ内をスライド方向に横切って連結するように設けられており、主基板ケース４３の外側からニッパー等により損壊可能となっている。これら第１，第２損壊部１３２，１３３を共に損壊することにより、開封障害部１０３ａ，１０３ｂを第２ケース体４２から除去することができる。
【００６１】
主制御基板１３を主基板ケース４３に封入して本体ケース２に装着する際の手順を説明する。第１段階として、主制御基板１３を主基板ケース４３に封入する。即ち、まず主制御基板１３の内側に主制御基板１３を嵌め込んでねじ止めし、その第２ケース体４２側の上下の周壁５２，５３を第１ケース体４１側の案内溝７８，７９に嵌合させ、第２ケース体４２側の係合爪７０を第１ケース体４１側の切り欠き部８１ａに、第１ケース体４１側の係合爪８２を第２ケース体４２側の係止孔６７に、それぞれ嵌合させてアンロック状態に組み合わせる（図１９→図２０）。
【００６２】
そして、第２ケース体４２と第１ケース体４１とを案内溝７８，７９に沿って相対的にスライドさせて、第２ケース体４２側の係合爪７０を第１ケース体４１側の係止部８１ｂに、第１ケース体４１側の係合爪８２を第２ケース体４２側の係止孔６７の縁部にそれぞれ係合させ、第１ケース体４１と第２ケース体４２とを結合状態でロックする（図２０→図２１）。これにより、第１ケース体４１側の被結合部１０１ａ及び凹部７１ａは第２ケース体４２側の封止側上壁５１ｂにより後側から覆われた状態となり、第２ケース体４２側の封止部材１０２ａは、第１ケース体４１側の被結合部１０１ａと前後方向に合致した状態となる。
【００６３】
続いて、複数（２組）の閉鎖封止手段４７のうちの１つを用いて主基板ケース４３を封止する。即ち、封止に用いる１つの封止部材１０２ａの被操作部１１７をドライバー等の工具で主基板ケース４３の内側に向けて押圧する。これにより、連結部１２４が損壊して封止部材１０２ａは封止部材連結体１１３側、即ち第２ケース体４２側から切り離され、その先端側の結合部１１６が弾性係合部１０８を両側に押し広げながら挿通スリット１０６内に嵌合する。このとき、封止部材１０２ａは、その周囲に配置されている案内板１１０，１１０、規制部１１１及び縦当接板１３６に沿って摺動することにより押圧方向に真っ直ぐに案内される。そして、封止部材１０２ａの鍔部１１５が嵌合支持部１０４ａの表面に当接したとき、結合部１１６が挿通スリット１０６を貫通して弾性係合部１０８の裏側に係合し、その封止部材１０２ａは第２ケース体４２から完全に独立した状態で第１ケース体４１側に離脱不能に結合した状態となる（図２２）。
【００６４】
このとき、その封止部材１０２ａに対応する開封障害部１０３ａの横当接板１３５及び縦当接板１３６が、その封止部材１０２ａに当接又は近接した状態となる。従って、その状態で、第２ケース体４２と第１ケース体４１とをアンロック方向に相対的にスライドさせようとしても、第１ケース体４１側に結合している封止部材１０２ａが、横当接板１３５及び縦当接板１３６を介して第２ケース体４２の開方向への相対移動を規制するため、そのままでは主基板ケース４３を開封することはできない。
【００６５】
また第２段階として、コネクタカバー４４を主基板ケース４３に装着する。即ち、コネクタカバー４４のヒンジピン８６を第１ケース体４１側の軸保持部９１に係合させ、コネクタカバー４４をそのヒンジピン８６廻りに回転させることにより、本体部８５をコネクタ３７ａ，３７ｂ及びこれに結合されたハーネス側コネクタ８８ａ，８８ｂに覆い被せ、カバー側結束部８７とケース側結束部８９とを結束バンド（図示省略）等により抜脱不能に結束する（図９）。
【００６６】
続いて第３段階として、以上のようにして封止した主基板ケース４３を、本体ケース２側に固定されている主基板ケース取付台４５に装着する。即ち、主基板ケース４３側の係合突起８４を主基板ケース取付台４５側の切り欠き部９８ａに嵌合させてアンロック状態に組み合わせる（図２３→図２４）。このとき、被係合部１０１ｂが設けられた主基板ケース取付台４５側の嵌合支持部１０４ｂが主基板ケース４３側の凹部７１ａに嵌合した状態となる。
【００６７】
そして、主基板ケース４３を主基板ケース取付台４５に対して上下の囲繞壁９４，９５に沿って相対的にスライドさせて、主基板ケース４３側の係合突起８４を主基板ケース取付台４５側の係止部９８ｂに係合させ、主基板ケース４３を主基板ケース取付台４５に対して装着状態でロックする（図２４→図２５）。これにより、主基板ケース４３側の２組の閉鎖封止手段４７と、主基板ケース取付台４５側の４組の装着封止手段４９とが一列状に整列した状態になると共に、主基板ケース４３側の封止部材１０２ｂは、主基板ケース取付台４５側の被結合部１０１ｂと前後方向に合致した状態となる。
【００６８】
続いて、複数（４組）の装着封止手段４９のうちの１つを用いて主基板ケース４３を主基板ケース取付台４５に装着状態で封止する。即ち、封止に用いる１つの封止部材１０２ｂの被操作部１１７をドライバー等の工具で主基板ケース４３の内側に向けて押圧する。これにより、連結部１２４が損壊して封止部材１０２ｂは封止部材連結体１１３側、即ち第２ケース体４２側から切り離され、その先端側の結合部１１６が弾性係合部１０８を両側に押し広げながら挿通スリット１０６内に嵌合する。このとき、封止部材１０２ｂは、その周囲に配置されている案内板１１０，１１０、規制部１１１及び縦当接板１３６に沿って摺動することにより押圧方向に真っ直ぐに案内される。そして、封止部材１０２ｂの鍔部１１５が嵌合支持部１０４ｂの表面に当接したとき、結合部１１６が挿通スリット１０６を貫通して弾性係合部１０８の裏側に係合し、その封止部材１０２ｂは第２ケース体４２から完全に独立した状態で主基板ケース取付台４５側に離脱不能に結合した状態となる（図２６）。
【００６９】
このとき、その封止部材１０２ｂに対応する開封障害部１０３ｂの横当接板１３５及び縦当接板１３６が、その封止部材１０２ｂに当接又は近接した状態となる。従って、その状態で、主基板ケース４３を主基板ケース取付台４５に対してアンロック方向に相対的にスライドさせようとしても、主基板ケース取付台４５側に結合している封止部材１０２ｂが、横当接板１３５及び縦当接板１３６を介して主基板ケース４３の主基板ケース取付台４５に対するアンロック側への相対移動を規制するため、そのままでは主基板ケース４３を主基板ケース取付台４５から取り外すことはできない。
【００７０】
検査等のために主基板ケース２４を開封する場合には、まず主基板ケース４３を主基板ケース取付台４５から取り外す必要がある。即ち、主基板ケース４３を主基板ケース取付台４５側に封止している装着封止手段４９の第１，第２損壊部１３２，１３３をニッパー等の切断工具を用いて切断し、図２７（ａ）に示すように、開封障害部１０３ｂを第２ケース体４２から切り離して除去する。これにより、主基板ケース４３を主基板ケース取付台４５に対してアンロック方向にスライドさせる際に封止部材１０２ｂの移動を規制するものがなくなるため（図２７（ｂ））、主基板ケース４３を主基板ケース取付台４５から取り外すことができる。
【００７１】
続いて、主基板ケース取付台４５から取り外した主基板ケース４３からコネクタカバー４４を取り外し、主基板ケース４３を封止している閉鎖封止手段４７の第１，第２損壊部１３２，１３３をニッパー等の切断工具を用いて切断し、図２８（ａ）に示すように、開封障害部１０３ａを第２ケース体４２から切り離して除去する。これにより、第２ケース体４２を第１ケース体４１に対してアンロック方向にスライドさせる際に封止部材１０２ａの移動を規制するものがなくなるため（図２８（ｂ））、主基板ケース４３を開封することができる。
【００７２】
以上説明したように、本実施形態のスロットマシンは、第１ケース体４１と第２ケース体４２とを閉鎖状態で封止可能な複数の閉鎖封止手段４７が、第１ケース体４１側の被結合部１０１ａと、第２ケース体４２側に設けられ且つ被結合部１０１ａに離脱不能に結合することにより第１ケース体４１に対する第２ケース体４２の離脱を阻止する封止部材１０２ａとを備え、主基板ケース４３と主基板ケース取付台４５とを装着状態で封止可能な複数の装着封止手段４９が、主基板ケース取付台４５側の被結合部１０１ｂと、主基板ケース４３側に設けられ且つ被結合部１０１ｂに離脱不能に結合することにより主基板ケース取付台４５に対する主基板ケース４３の離脱を阻止する封止部材１０２ｂとを備え、主基板ケース４３側に設けた凹部７１ａに被結合部１０１ｂを嵌合させ、閉鎖封止手段４７と装着封止手段４９とを主基板ケース４３の一辺に沿って一列状に配置しているため、主基板ケース４３に対して閉鎖封止手段４７と装着封止手段４９とを効率よく配置して主基板ケース４３の内外のデッドスペースを少なくすることができ、遊技機筐体１内の限られたスペースを有効に活用することが可能となる。
【００７３】
また、閉鎖封止手段４７及び装着封止手段４９は、第１，第２損壊部１３２，１３３を介して第２ケース体４２側に一体に形成され且つ第１，第２損壊部１３２，１３３を損壊することにより第２ケース体４２から除去可能な開封障害部１０３ａ，１０３ｂを夫々備え、閉鎖封止手段４７は、封止部材１０２ａが第２ケース体４２側から離れて被結合部１０１ａに結合したとき、その封止部材１０２ａが第１ケース体４１に対する開封障害部１０３ａの開方向への相対移動を規制することにより主基板ケース４３の開封を阻止し、装着封止手段４９は、封止部材１０２ｂが第２ケース体４２側から離れて被結合部１０１ｂに結合したとき、その封止部材１０２ｂが主基板ケース取付台４５に対する開封障害部１０３ｂの開方向への相対移動を規制することにより主基板ケース４３の離脱を阻止するように構成されているため、閉鎖封止手段４７及び装着封止手段４９は、第１ケース体４１と第２ケース体４２、或いは主基板ケース４３と主基板ケース取付台４５の相対的なスライド移動さえ規制できればその配置位置は比較的自由であり、デッドスペースが最小となるような最適配置を容易に行うことができるという利点がある。
【００７４】
封止部材１０２ａ，１０２ｂとそれらを連結する連結部材１１２とを合成樹脂により一体形成した封止部材連結体１１３を第２ケース体４２の内側に着脱自在に装着しているため、部品点数の削減と組み立て工程の簡略化とによりコストを抑制できる。
【００７５】
更に、封止部材１０２ａ，１０２ｂと連結部材１１２とは損壊容易な連結部１２４により連結されており、封止部材連結体１１３が第２ケース体４２に装着された状態では封止部材１０２ａ，１０２ｂはその被操作部１１７のみが第２ケース体４２側の操作孔６８から外側に露出した状態となり、被操作部１１７が内向きに押圧されたとき、連結部１２４が損壊して封止部材１０２ａ，１０２ｂが封止部材連結体１１３から切り離されて被結合部１０１ａ，１０１ｂに結合するように構成されているため、封止作業は被操作部１１７の押圧操作のみで非常に簡単であり、また封止部材１０２ａ，１０２ｂを被結合部１０１ａ，１０１ｂ側に結合させて封止した後にできる隙間等を最小限に抑えて不正行為を効果的に防止できる。
【００７６】
以上、本発明の実施形態について詳述したが、本発明はこれらの実施形態に限定されるものではなく、本発明の趣旨を逸脱しない範囲で種々の変更が可能である。例えば、実施形態では、遊技機が市場に出てからは、基板ケースごと取り外すことはあっても、その取り外した基板ケースを開封してまた元に戻すことは極希であることを考慮して、閉鎖封止手段４７の数（２組）を装着封止手段４９の数（４組）よりも少なくしたが、閉鎖封止手段４７と装着封止手段４９の数は夫々１又は複数であればよく、例えば閉鎖封止手段４７と装着封止手段４９とを同数としてもよいし、閉鎖封止手段４７を１組にしてもよい。
【００７７】
閉鎖封止手段４７による封止構造は、実施形態のように封止部材１０２ａにより第１ケース体４１に対する開封障害部１０３ａの開方向への相対移動を規制することにより基板ケース４３の開封を阻止するものに限らず、どのような封止構造を採用してもよい。装着封止手段４９についても同様である。
【００７８】
また、実施形態では本発明をスロットマシンに適用した例を示したが、パチンコ機、アレンジボール機等の各種遊技機において同様に実施可能であることは言うまでもない。
【図面の簡単な説明】
【００７９】
【図１】本発明の一実施形態を示すスロットマシンの全体斜視図である。
【図２】本体ケース側の正面図である。
【図３】主制御基板ユニットの分解斜視図である。
【図４】第２ケース体、封止部材連結体及びコネクタカバーの背面図である。
【図５】第１ケース体の背面図である。
【図６】主基板ケース取付台の背面図である。
【図７】主基板ケースの分解平面図である。
【図８】基板ケースと主基板ケース取付台の平面図である。
【図９】主制御基板ユニットにおけるコネクタカバー近傍の拡大斜視図である。
【図１０】第２ケース体及び封止部材連結体の分解斜視図である。
【図１１】第２ケース体及び封止部材連結体の分解斜視図である。
【図１２】主制御基板ユニットから第２ケース体のみを取り外した状態での封止手段近傍の拡大斜視図である。
【図１３】主制御基板ユニットから第２ケース体のみを取り外した状態での封止手段近傍の拡大背面図である。
【図１４】主制御基板ユニットの背面図である。
【図１５】図１４におけるＡ−Ａ断面図である。
【図１６】図１４におけるＢ−Ｂ断面図である。
【図１７】図１４におけるＣ−Ｃ断面図である。
【図１８】図１４におけるＤ−Ｄ断面図である。
【図１９】主基板ケースの結合・封止手順を示す第１ステップの説明図である。
【図２０】主基板ケースの結合・封止手順を示す第２ステップの説明図である。
【図２１】主基板ケースの結合・封止手順を示す第３ステップの説明図である。
【図２２】主基板ケースの結合・封止手順を示す第４ステップの説明図である。
【図２３】主基板ケースの主基板ケース取付台への装着・封止手順を示す第１ステップの説明図である。
【図２４】主基板ケースの主基板ケース取付台への装着・封止手順を示す第２ステップの説明図である。
【図２５】主基板ケースの主基板ケース取付台への装着・封止手順を示す第３ステップの説明図である。
【図２６】主基板ケースの主基板ケース取付台への装着・封止手順を示す第４ステップの説明図である。
【図２７】主基板ケースの開封手順を示す説明図である。
【図２８】主基板ケースの主基板ケース取付台４５からの取り外し手順を示す説明図である。
【符号の説明】
【００８０】
１    遊技機筐体
１３    主制御基板（基板）
４１    第１ケース体
４２    第２ケース体
４３    主基板ケース（基板ケース）
４５    主基板ケース取付台（基板ケース取付台）
４７    閉鎖封止手段
４９    装着封止手段
６８    操作孔
７１ａ  凹部
１０１ａ  閉鎖封止側被結合部
１０１ｂ  装着封止側被結合部
１０２ａ  閉鎖封止側封止部材
１０２ｂ  装着封止側封止部材
１０３ａ  開封障害部
１０３ｂ  開封障害部
１１２    連結部材
１１３    封止部材連結体
１１７    被操作部
１２４    連結部
１３２    第１損壊部
１３３    第２損壊部
【図１】
2009247837.tif 000003
【図２】
2009247837.tif 000004
【図３】
2009247837.tif 000005
【図４】
2009247837.tif 000006
【図５】
2009247837.tif 000007
【図６】
2009247837.tif 000008
【図７】
2009247837.tif 000009
【図８】
2009247837.tif 000010
【図９】
2009247837.tif 000011
【図１０】
2009247837.tif 000012
【図１１】
2009247837.tif 000013
【図１２】
2009247837.tif 000014
【図１３】
2009247837.tif 000015
【図１４】
2009247837.tif 000016
【図１５】
2009247837.tif 000017
【図１６】
2009247837.tif 000018
【図１７】
2009247837.tif 000019
【図１８】
2009247837.tif 000020
【図１９】
2009247837.tif 000021
【図２０】
2009247837.tif 000022
【図２１】
2009247837.tif 000023
【図２２】
2009247837.tif 000024
【図２３】
2009247837.tif 000025
【図２４】
2009247837.tif 000026
【図２５】
2009247837.tif 000027
【図２６】
2009247837.tif 000028
【図２７】
2009247837.tif 000029
【図２８】
2009247837.tif 000030